(57)【要約】      （修正有）【課題】各放射トラフの被計量物の堆積量を適正なバラツキに維持することができる分散供給装置とそれを搭載した組合せ計量装置を提供する。【解決手段】分散フィーダ２は、併設された一対の丘陵部２０と、各丘陵部の頂点を通る鉛直軸回りに各丘陵部を個別に螺旋状に振動させる一対のバイブレータとを備え、各丘陵部の頂点は、装置中央の放射中心軸から偏心した位置に設けられて、それら丘陵部の平面視が、長円形であり、両丘陵部の境界位置には、各丘陵部上に供給される被計量物を分ける隔壁３が設けられている。【選択図】図５
0003201400.tif 000002
【実用新案登録請求の範囲】
【請求項１】
装置中央に配置され、そこに供給される被計量物を周囲へ分散させる分散フィーダと、該分散フィーダの周囲に放射状に配列されて、前記分散フィーダから排出される被計量物を放射方向に個別に搬送する放射フィーダとを備え、前記分散フィーダは、並設された一対の丘陵部と、各丘陵部の頂点を通る鉛直軸回りに各丘陵部を個別に螺旋状に振動させる一対のバイブレータとを有し、前記各丘陵部の頂点は、装置中央の放射中心軸から偏心した位置に設けられ、丘陵部全体の平面視が長円形又は中央のくびれた長円形であって、各丘陵部の境界位置には各丘陵部上に供給される被計量物を分ける隔壁が設けられていることを特徴とする分散供給装置。
【請求項２】
前記各丘陵部は、部分的に円錐形状であって、丘陵部全体の側面視がＷ字を反転させた形状であることを特徴とする請求項１に記載の分散供給装置。
【請求項３】
前記各丘陵部は、平坦な頂点とそれに続く斜面とを有し、前記隔壁に沿った斜面は、該斜面の螺旋状の振動により、前記隔壁に到達した被計量物を該隔壁に沿って登坂させる勾配に形成されていることを特徴とする請求項２に記載の分散供給装置。
【請求項４】
前記隔壁は、それぞれの丘陵部に取り付けられ、それらの隔壁は、非接触状態で並設されており、さらに一方の隔壁の上端部は、他方の隔壁の上縁にオーバーラップしていることを特徴とする請求項１又は２に記載の分散供給装置。
【請求項５】
装置中央の分散供給装置と、それを取り囲むようにその下段に配置された複数の計量装置と、さらにその下段に配置された集合シュートとを備えた組合せ計量装置であって、前記分散供給装置として、請求項１〜４の何れかに記載の分散供給装置が搭載されていることを特徴とする組合せ計量装置。
【請求項６】
前記分散供給装置の各放射フィーダに対応させて前記各計量装置がそれぞれ配置されている請求項５に記載の組合せ計量装置。
【請求項７】
前記分散供給装置の各丘陵部に対応させて、前記集合シュートが二分割されていることを特徴とする請求項４又は５に記載の組合せ計量装置。
【考案の詳細な説明】
【技術分野】
【０００１】
本考案は、被計量物を放射状に分散させながら、円形に配列された複数の計量装置へ被計量物を個別に供給する分散供給装置と、それを搭載した組合せ計量装置に関する。
【背景技術】
【０００２】
組合せ計量装置としては、複数の計量ホッパを円周上に等間隔に配列したものが主流であるが、これらの計量ホッパを、左右のグループに二分割して、それぞれのグループで組合せ計量装置を構成する場合がある。
【０００３】
この後者の組合せ計量装置で使用される分散供給装置としては、例えば、下記特許文献に記載のものが知られている。図１は、その代表的な分散供給装置の一例を示した斜視図である。この図において、なだらかに傾斜する円錐形状の分散フィーダＤは、中央で左右に二分割され、分割された各分散部Ｄ１、Ｄ２は、図示しないバイブレータに連結されて各々独立して振動する。また、左右の分散部Ｄ１、Ｄ２の境界には、隔壁Ｓが設けられ、それによって左右の分散部Ｄ１，Ｄ２に供給された被計量物が交じり合わないようになっている。
【先行技術文献】
【特許文献】
【０００４】
【特許文献１】特開昭６２−２１８８２１号公報
【特許文献２】特開平０２−０２１２１９号公報
【特許文献３】特開平０８−０５４２７８号公報
【特許文献４】特許第３７９３４４９号公報
【特許文献５】特許第５０９５４７７号公報
【考案の概要】
【考案が解決しようとする課題】
【０００５】
ところが、左右の分散部Ｄ１、Ｄ２は、円錐形状の各頂点ＴＰを中心に螺旋状に上下に振動するが、その頂点ＴＰには、直径方向に隔壁Ｓが設けられている。そのため、各分散部Ｄ１，Ｄ２が上下に螺旋運動すると、被計量物は、分散部Ｄ１，Ｄ２の斜面に沿って旋回しながらその周囲へ排出されていくが、そのとき、隔壁Ｓが被計量物の周回運動を阻害するので、図２の平面図において、サイズの違う矢印で示したように、被計量物の流れ方向の上流側Ｕと下流側Ｌとで排出量に偏りが生じる。その結果、上流側Ｕの放射トラフＵＴには被計量物が不足し、下流側Ｌの放射トラフＬＴには被計量物が過剰になって、各放射トラフから下段の計量ホッパへの排出量が大きくバラツクことになって、組合せ計量が成立しない場合がある。そのため、この種の装置においては、分割されていない通常の装置と比べ、装置の稼働率や計量精度が低下するという問題があった。
【０００６】
本考案は、この問題を解決することのできる新たな分散供給装置と、それを備えた組合せ計量装置とを提供することを課題とする。
【課題を解決するための手段】
【０００７】
本考案に係る分散供給装置は、装置中央に配置され、そこに供給される被計量物を周囲へ分散させる分散フィーダと、該分散フィーダの周囲に放射状に配列されて、前記分散フィーダから排出される被計量物を放射方向に個別に搬送する放射フィーダとを備え、前記分散フィーダは、並設された一対の丘陵部と、各丘陵部の頂点を通る鉛直軸回りに各丘陵部を個別に螺旋状に振動させる一対のバイブレータとを有し、前記各丘陵部の頂点は、装置中央の放射中心軸から偏心した位置に設けられ、丘陵部全体の平面視が、長円形又は中央がくびれた長円形であり、それら両丘陵部の境界位置には、各丘陵部上に供給される被計量物を分ける隔壁が設けられていることを特徴とする。
【０００８】
図３は、本考案を説明するための分散供給装置の平面図を示したものである。この図３において、分散供給装置１は、装置中央の分散フィーダ２と、それを取り囲むように、放射状に配列された複数の放射フィーダＲＦとを備える。分散フィーダ２は、なだらかに傾斜する一対の丘陵部２０と、各丘陵部２０の頂点２１を通る鉛直軸Ｖ回りに各丘陵部２０を個別に螺旋状に上下に振動させる一対のバイブレータとを備える。
【０００９】
各丘陵部２０は、それぞれの頂点２１を所定間隔離した状態で互いにオーバーラップさせたときの重複部分が切除され、その切除部分に隔壁３が取り付けられた形状である。すなわち、各丘陵部２０の頂点２１は、装置中央の放射中心軸Ｃから偏心した位置に設けられ、丘陵部２０を合わせた全体の平面視が、図３に示すように、中央がくびれた長円形であり、側面視が図４に示すように、Ｗ字を反転させて水平方向に伸ばした形状である。また、平面視が、中央がくびれた長円形ではなく、中央にくびれのない長円形であっても良く、さらに、被計量物が流れ易いものである場合は、円錐形に形成された丘陵部２０を平面板に置き換えることもできる。
【００１０】
さらに、各丘陵部２０は、平坦な頂点２１とそれに続く斜面とを有し、前記隔壁３に沿った斜面は、該斜面の螺旋状の振動により、隔壁３に到達した被計量物を該隔壁３に沿って登坂させる勾配に形成されていることを特徴とする。
【００１１】
すなわち、図３において、丘陵部２０がバイブレータの振動によって上下に螺旋状に振動すると、円錐形状の丘陵部２０上に供給された被計量物は、丘陵部２０の螺旋運動によって矢印方向Ｆ１に旋回しながら各放射フィーダＲＦへ排出されていく。しかし、排出されずに隔壁３に到達した被計量物は、丘陵部２０の螺旋運動によって隔壁３に沿って逆方向Ｆ２に登坂して環流するから、被計量物が不足しがちな上流側放射フィーダＲＦ１、ＲＦ２には、逆方向Ｆ２から被計量物が補充される。その結果、各放射フィーダＲＦの被計量物の堆積量は、適正なバラツキとなる。
【００１２】
また、各隔壁３は、それぞれの丘陵部２０に取り付けられ、それらの隔壁３は、非接触状態で併設され、さらに図４に示すように、一方の隔壁３ａの上端部は、他方の隔壁３ｂの上縁にオーバーラップしていることを特徴とする。
これにより、各丘陵部２０は、非接触状態で個別に振動するとともに、それらの上に供給された被計量物は、互いに混じることなく、それぞれの丘陵部２０の周囲に配置された各放射フィーダＲＦに排出されていく。
【００１３】
また、本考案に係る組合せ計量装置は、装置中央の分散供給装置と、それを取り囲むようにその下段に配置されて、前記分散供給装置から供給された被計量物を個別に受け取って計量する複数の計量装置と、さらにその下段に配置されて、所定量に組合された被計量物を集合させる集合シュートとを備え、前記分散供給装置として、前述の分散供給装置が搭載されていることを特徴とする。
【００１４】
ここで、計量装置とは、計量ホッパだけの場合もあれば、それに加えて、上段に配置されるプールホッパを含む場合もある。さらにそれに加えて、計量ホッパの下段に配置されるブースターホッパを含む場合もある。プールホッパは、分散供給装置から排出された被計量物を一時的に蓄えて計量ホッパに供給する。ブースターホッパは、計量ホッパから排出された計量済の被計量物を一時的に蓄えるもので、そこに蓄えられた被計量物は、計量ホッパ内の被計量物とともに組合せ計量に用いられ、最適組合せに選ばれると、ホッパ内の被計量物は、集合シュートへ排出される。
【００１５】
こうした構成により、一対の丘陵部の間に設けられた隔壁を堺として、右側グループと左側グループの組合せ計量装置を構成することができるから、種類の異なる被計量物を各グループで組合せ計量した後、それらを一つの集合シュートで混合させて、２種類のミックス商品を形成することができる。また、左右の丘陵部に対応させて集合シュートを二分割すれば、集合シュート毎に異なる目標質量の被計量物を収集できるから、一台の組合せ計量装置でありならが、二台分の組合せ計量装置として、それぞれ異なる被計量物を異なる運転条件の下で組合せ計量することができる。
【考案の効果】
【００１６】
本考案に係る分散供給装置によれば、被計量物は、丘陵部上を旋回しながら放射方向へ排出されていくが、排出されなかった被計量物は、隔壁に沿って逆流し、それが不足しがちな上流側へ環流されるから、各放射トラフの被計量物の堆積量を適正なバラツキに維持することができる。したがって、分散部が二分割されていない通常の分散供給装置と同等な汎用性の高い分散供給装置とすることができる。
【００１７】
また、本考案に係る組合せ計量装置によれば、標準的な組合せ計量装置の分散供給装置を本考案に係る分散供給装置に置き換えるだけで、二台分の組合せ計量装置として使用することができる。しかも、各グループの計量装置に適度なバラツキをもって被計量物を安定的に供給することができるから、それぞれの組合せ計量装置の稼動率や計量精度を、一台分の組合せ計量装置とした場合と同等なものに維持することができる。
【図面の簡単な説明】
【００１８】
【図１】従来の分散供給装置の外観斜視図。
【図２】従来の分散供給装置における被計量物の分散動作を説明するための平面図。
【図３】本考案に係る分散供給装置の被計量物の分散動作を説明するための平面図。
【図４】上記分散供給装置の分散フィーダの形状を説明するための側面図。
【図５】本考案に係る分散供給装置の一実施形態の外観斜視図。
【図６】上記実施形態で使用するバイブレータの外観斜視図。
【図７】本考案に係る組合せ計量装置の一実施形態の外観斜視図。
【図８】図７の実施形態のＡ−Ａ断面図。
【考案を実施するための形態】
【００１９】
以下、図面を参照しながら、本考案の一実施形態を説明する。なお、以下に示す実施形態は、本考案の技術的範囲を限定するものではない。
【００２０】
図５は、本考案に係る分散供給装置の一実施形態の外観斜視図を示し、図６は、その分散供給装置で使用するバイブレータの外観斜視図を示す。これらの図において、分散供給装置１は、中央の分散フィーダ２と、その周囲に放射状に配列される複数の放射フィーダＲＦとで構成される。分散フィーダ２は、なだらかに傾斜する一対の部分的に円錐形の丘陵部２０と、各丘陵部２０の下部にそれぞれ配置されて、各丘陵部２０を個別に振動させる図６のバイブレータ４とを備える。
【００２１】
各丘陵部２０は、ステンレス材で成形され、それぞれの中心２１を所定距離離して互いにオーバーラップさせたときの重複部分が切除された形状に成形されている。また、その切除部分に鉛直方向の隔壁３が取り付けられ、それらの隔壁３は、互いに接触しないように所定間隔離されている。また、一方の隔壁３の上部は、他方の隔壁３の上縁にオーバーラップして、互いの隔壁３間に被計量物が入り込まないようになっている。さらに、各丘陵部２０は、それぞれの中心２１が放射状に配列された各放射フィーダＲＦの放射中心位置Ｃ（図３参照）から偏心した位置に配置されている。
【００２２】
図６は、一実施形態に係るバイブレータの外観斜視図を示す。この図６において、丘陵部２０の下部に配置されるバイブレータ４は、半円形のベース部材４０と、その上方に配置される平面視Ｔ字形の可動部材４１と、その可動部材４１とベース部材４０との間を架橋して、可動部材４１をベース部材４０に対し、上下方向に揺動可能に支持する３本のバネ部材４２と、可動部材４１の底面に固定された可動鉄心４３と、それを断続的に吸引する電磁石４４とを備えている。
【００２３】
可動部材４１の上面には、一対の支柱４５が離間して取り付けられ、それらの支柱４５の上面に、丘陵部２０を下方から支持するプレート４６がボルト４７でもって固定されている。このプレート４６の中央部分には、丘陵部２０の頂点２１に取り付けられた図示しないボルトを捻じ込むナット４８が固定されている。このナット４８に丘陵部２０のボルトを捻じ込んで固定すると、丘陵部２０は、頂点２１を通る鉛直軸Ｖ回りに螺旋状に上下に振動するように、可動部材４１とそれを支持する３箇所のバネ部材４２とが位置決めされている。すなわち、この実施形態においては、３本のバネ部材４２がナット４８の鉛直軸Ｖを通る鉛直軸の回りに時計の回転方向に沿って傾斜して取り付けられているので、ナット４８と同軸上に位置する丘陵部２０は、頂点２１を通る鉛直軸Ｖ（図４参照）の回りに螺旋状に上下に振動する。
【００２４】
なお、ベース部材４０は、丘陵部２０の質量に比して相当大きな質量を持つカウンターバランスとして設計されており、また、ベース部材４０の下部には、ベース部材４０の振動を遮断するコイルスプリング４９が４本取り付けられている。
【００２５】
こうした構成において、丘陵部２０がバイブレータ４の振動によって上下に螺旋状に振動すると、丘陵部２０上に供給された被計量物は、円錐形の丘陵部２０の螺旋運動によって図３の矢印方向Ｆ１に旋回しながら各放射フィーダＲＦへ排出されていく。そして、排出されずに隔壁３に到達した被計量物は、丘陵部２０が上り傾斜であっても、隔壁３の振動と丘陵部２０の螺旋運度とによって逆方向Ｆ２に登坂して環流していく。したがって、図３に示すように、被計量物が不足しがちな上流側放射フィーダＲＦ１、ＲＦ２には、矢印方向Ｆ２からの被計量物が補充され、その結果、各放射フィーダＲＦへの排出量は、適正なバラツキとなる。
【００２６】
図５に戻って、各放射フィーダＲＦは、放射状に配列された放射トラフＲＴと、それを放射方向に振動させる図８のバイブレータ５とを備えて、分散フィーダ２から供給された被計量物をバイブレータ５の振動によって放射方向に個別に搬送するようになっている。具体的には、各放射トラフＲＴは、丘陵部２０の下部から先端部まで伸びる底面５０と、その両サイドに設けられた側面５１とで構成されている。両サイドの側面５１は、Ｖ字状に広がり、丘陵部２０下方の側面５１は、図８に示すように低く形成されて丘陵部２０の下部に潜り込み、そこから先端部に行くに連れて上り傾斜に高く形成されている。また、隣接する各放射トラフＲＴの一方の側面５１ａが他方の放射トラフＲＴの側面５１ｂ上に非接触でオーバーラップして、隣接する放射トラフＲＴの間から被計量物が落下しないようになっている。これにより、各放射トラフＲＴが互いの側壁５１を連鎖状態に連ねた状態で一つの受け皿を形成し、これによって、中央の分散フィーダ２から周囲に排出される被計量部をこぼさずに受け取って蓄えるようになっている。
【００２７】
図７は、本考案に係る組合せ計量装置の一実施形態の外観斜視図を示し、図８は、図７のＡ−Ａ断面図を示す。ただし、装置内部の構造や外観からは見え難い部分は、図８では省略している。
【００２８】
これらの図において、組合せ計量装置Ｗは、上段の分散供給装置１と、その下段に配置された複数の計量装置６と、これらを支持する中央部の本体７と、さらにその下段に配置された集合シュート８と、以上の各部を支持する架台９とを備えている。なお、本体７の底面と架台９との間には、本体７を支持する支持脚１０が４本取り付けられているが、図８では図示を省略している。
【００２９】
分散供給装置１は、図５に示すものと同じものであって、本体７の上部に設置されている。また個別に振動する各バイブレータ４、５は、防水仕様のカバー７０内に収納され、そのカバー７０の、特に、バイブレータ４、５と各放射トラフＲＦ、丘陵部２０との連結部分には、開口部が設けられ、その開口部にベローズが被せられて、水密構造に構成されている。
【００３０】
計量装置６は、上段のプールホッパＰＨと、中断の計量ホッパＷＨと、下段のブースターホッパＢＨとで構成され、その計量装置６が各放射トラフＲＴの下部に車座に配置されている。これらのホッパＰＨ，ＷＨ、ＢＨには、それぞれ開閉ゲートＧが設けられ、それらのゲートＧを開閉させる駆動部は、本体７内に収納されている。そして、図示しないコンピュータの制御により、組合せ選択された計量ホッパＷＨのゲートＧが開閉されて内部の被計量物が集合シュート８に排出されれば、上段のプールホッパＰＨのゲートＧが開閉されて、空となった計量ホッパＷＨに被計量物が供給され、プールホッパＰＨのゲートＧが開閉されて内部の被計量物が排出されれば、その上段の放射トラフＲＴから空になったプールホッパＰＨに被計量物が供給されるようになっている。
【００３１】
ブースターホッパＢＨは、組合せ数を増やすために設けられるもので、計量済の被計量物が計量ホッパＷＨから移されて保持し、計量ホッパＷＨ内の被計量物とともに組合せ計量に用いられる。そのため、計量ホッパＷＨは、個別に開閉する両開き式のゲートＧを備え、組合せ演算に際しては、各計量ホッパＷＨと各ブースターホッパＢＨに収納された被計量物の質量や個数が組合され、それらの中で目標質量や目標個数に最も近い最適組合せのホッパが選択される。計量ホッパＷＨが選択された場合は、外側のゲートＧ１が開閉されて、計量ホッパＷＨから集合シュート８に被計量物が直接排出される。ブースターホッパＢＨが選択された場合は、そのゲートＧが開閉されて集合シュート８に被計量物が排出される。こうして排出された被計量物は、集合シュート８の出口で一緒になって所定質量あるいは所定個数の被計量物の集合体となり、これが図示しない包装装置で袋詰めにされる。
【００３２】
また、ブースターホッパＢＨが最適組合せに選ばれ、それに対応する上段の計量ホッパＷＨが選ばれなかった場合は、計量ホッパＷＨの内側のゲートＧ２が開閉されて、空になったブースターホッパＢＨに計量済の被計量物が供給される。その際、組合せ演算を実行するコンピュータには、ブースターホッパＢＨに供給された被計量物の質量や個数が記憶され、それに基づいて組合せ演算が実行される。
【００３３】
集合シュート８は、二分割された分散フィーダ２に対応させて、右側グループの集合シュート８Ｒと、左側グループの集合シュート８Ｌに分けられている。したがって、各計量装置６も、左右のグループに分けられ、各グループに独立の制御部が設けられて、グループ毎に個別に組合せ計量が実行されるようになっている。
【００３４】
以上、本考案の一実施形態を説明したが、本考案は、これに限定されるものではなく、その他の構成も採用可能である。例えば、以上の実施形態では、丘陵部を円錐形状としたが、流れ易い被計量物を扱う場合は、これを平坦な平面板としても良い。また、分散フィーダ２の形状を、平面視が中央のくびれた長円形としたが、これに代えて、中央がくびれていない長円形としても良い。さらに、二分割された集合シュート８を一つの集合シュートに形成して、左右のグループで組合せ計量された被計量物を集合シュート８の出口で混合させれば、２種ミックスの商品とすることができる、また、ブースターホッパＢＨを使用せずに、計量ホッパＷＨ内の被計量物の組合せだけで最適組合せを選択するようにしても良い。
【符号の説明】
【００３５】
１      分散供給装置
２      分散フィーダ
３      隔壁
４      バイブレータ
５      バイブレータ
６      計量装置
７      本体
８      集合シュート
２０      丘陵部
２１      中心
ＲＦ      放射フィーダ
Ｖ      鉛直軸
Ｃ      放射中心軸
【図１】
0003201400.tif 000003
【図２】
0003201400.tif 000004
【図３】
0003201400.tif 000005
【図４】
0003201400.tif 000006
【図５】
0003201400.tif 000007
【図６】
0003201400.tif 000008
【図７】
0003201400.tif 000009
【図８】
0003201400.tif 000010
【手続補正書】
【提出日】平成27年10月1日(2015.10.1)
【手続補正１】
【補正対象書類名】実用新案登録請求の範囲
【補正対象項目名】全文
【補正方法】変更
【補正の内容】
【実用新案登録請求の範囲】
【請求項１】
装置中央に配置され、そこに供給される被計量物を周囲へ分散させる分散フィーダと、
該分散フィーダの周囲に放射状に配列されて、前記分散フィーダから排出される被計量物を放射方向に個別に搬送する放射フィーダとを備え、前記分散フィーダは、並設された一対の丘陵部と、各丘陵部の頂点を通る鉛直軸回りに各丘陵部を個別に螺旋状に振動させる一対のバイブレータとを有し、前記各丘陵部の頂点は、装置中央の放射中心軸から偏心した位置に設けられ、丘陵部全体の平面視が長円形又は中央のくびれた長円形であって、各丘陵部の境界位置には各丘陵部上に供給される被計量物を分ける隔壁が設けられていることを特徴とする分散供給装置。
【請求項２】
前記各丘陵部は、部分的に円錐形状であって、丘陵部全体の側面視がＷ字を反転させた形状であることを特徴とする請求項１に記載の分散供給装置。
【請求項３】
前記各丘陵部は、平坦な頂点とそれに続く斜面とを有し、前記隔壁に沿った斜面は、該斜面の螺旋状の振動により、前記隔壁に到達した被計量物を該隔壁に沿って登坂させる勾配に形成されていることを特徴とする請求項２に記載の分散供給装置。
【請求項４】
前記隔壁は、それぞれの丘陵部に取り付けられ、それらの隔壁は、非接触状態で並設されており、さらに一方の隔壁の上端部は、他方の隔壁の上縁にオーバーラップしていることを特徴とする請求項１又は２に記載の分散供給装置。
【請求項５】
装置中央の分散供給装置と、それを取り囲むようにその下段に配置された複数の計量装置と、さらにその下段に配置された集合シュートとを備えた組合せ計量装置であって、前記分散供給装置として、請求項１〜４の何れかに記載の分散供給装置が搭載されていることを特徴とする組合せ計量装置。
【請求項６】
前記分散供給装置の各放射フィーダに対応させて前記各計量装置がそれぞれ配置されている請求項５に記載の組合せ計量装置。
【請求項７】
前記分散供給装置の各丘陵部に対応させて、前記集合シュートが二分割されていることを特徴とする請求項５に記載の組合せ計量装置。